(57)【要約】本開示は、厚紙の半製品から形成され且つ四角形の側壁（１８、１９）によって接続された三角形の端壁（１２、１３）を有して三角形のプリズム形コンテナを形成する、斜めにカットされたサンドイッチ又は同様の食品のためのカートン（１０）に関している。前記コンテナの一つの側壁は前記コンテナの他の一つの壁にヒンジ留めされて、食品の挿入／取り出しのための開口部を提供し且つ前記開口部を閉じるための蓋（２５）を形成している。前記開口部の端は外向きのフランジ（２６、２８）を有しており、前記蓋の外周は、前記蓋が閉位置にあるときには前記開口部を囲む前記外向きのフランジの上に重なり、それによって、前記蓋は、前記フランジに接合されて前記カートンの内容物をシールすることができる。
2006509693.tif 000002
【特許請求の範囲】
【請求項１】
厚紙の半製品から形成され且つ四角形の側壁によって接続された三角形の端壁を有して三角形のプリズム形コンテナを形成する、斜めにカットされたサンドイッチ又は同様の食品のためのカートンであって、前記コンテナの一つの側壁は前記コンテナの他の一つの壁にヒンジ留めされて、食品の挿入／取り出しのための開口部を提供し且つ前記開口部を閉じるための蓋を形成しており、前記開口部の端は外向きのフランジを有しており、前記蓋の外周は、前記蓋が閉位置にあるときには前記開口部を囲む前記外向きのフランジの上に重なり、それによって、前記蓋は前記フランジに接合されて前記カートンの内容物をシールすることができる、カートン。
【請求項２】
前記カートンが熱シール性の厚紙からできており、それによって、前記コンテナの前記蓋の前記外周が、前記コンテナに対する前記開口部を囲んでいる前記外向きフランジに熱シールによって接合されることができる、請求項１に記載のコンテナ。
【請求項３】
前記コンテナの前記蓋の前記外周が、前記コンテナへの前記開口部を囲んでいる前記外向きフランジに接着剤によって接合される、請求項１に記載のカートン。
【請求項４】
前記蓋が、前記コンテナへの前記開口部の前記外向きフランジを越えて延在している突出タブとともに形成され、前記蓋が、それが接合される前記外向きフランジから分離されて前記コンテナを開けることを可能にする、先の請求項のいずれかに記載のカートン。
【請求項５】
前記蓋が、それによって前記蓋の前記外周に接合されることができる外向きフランジを有する前記コンテナの前記三角形の端壁、隣接する側壁、及び反対側の端壁の一つの底部にヒンジ留めされている、先の請求項のいずれかに記載のカートン。
【請求項６】
前記ヒンジから離れた前記蓋のコーナーが、前記蓋を開けるために掴まれる突出タブとともに形成されている、請求項５に記載のカートン。
【請求項７】
前記蓋が前記コンテナの一つの側壁にヒンジ留めされ、前記隣接する三角形の端壁と反対側の側壁とが、そこに前記蓋の前記外周が接合されて前記コンテナの内容物をシールする外向けフランジを有する、請求項１から４のいずれか一つに記載のカートン。
【請求項８】
前記コンテナの前記反対側の側壁が延長フラップを有し、前記ヒンジに対向する前記蓋の前記端が対応するタブを有し、このタブが前記側壁の前記フラップに接合されて前記カートンをシールし且つ前記蓋を裂いて前記コンテナから開けるために使用されることができる、請求項７に記載のカートン。
【請求項９】
前記蓋の前記端の前記タブが、前記コンテナの前記隣接する側壁の上の前記フラップに接合されていない切り裂きストリップとともに形成され、前記切り裂きストリップが前記フラップの残り部分から容易に取り外されることができて、前記蓋を切り裂いて開けるために使用される、請求項８に記載のカートン。
【請求項１０】
前記蓋が、前記蓋の長さの少なくとも一部だけ延在する窓を有し、これが前記窓を横切って延在するクリアなプラスチックフィルムを有し且つ前記蓋の下側にシールされて、前記コンテナの内容物を見ることを可能にする、先の請求項のいずれかに記載のカートン。
【請求項１１】
前記カートンの前記三角形の端壁が、対向する底部の頂部から延在している折り目線とともに形成され、前記コンテナを使用に先立って貯蔵のために折り畳むことを可能にする、先の請求項のいずれかに記載のカートン。
【請求項１２】
前記蓋が前記コンテナの一つの三角形の端壁にヒンジ留めされる場合に、その側壁を通って延在して前記側壁を平らに折り畳むことを可能にする折り目が、前記蓋を通っても延在して、前記蓋を前記側壁とともに平らに折り畳むことを可能にする、請求項１２に記載のカートン。
【請求項１３】
前記折り目線が前記コンテナの前記端壁を二分する、請求項１１または請求項１２に記載のカートン。
【請求項１４】
添付の図面の図１から図４、図５から図８、または図９を参照して実質的に記述され且つ描かれているカートン。
【請求項１５】
添付の図面の図１０から図１２または図１３から図１５を参照して実質的に記述され且つ描かれているカートン。
【請求項１６】
図１６によって改変された図１から図４または図１７によって改変された図１３から図１５を参照して実質的に記述され且つ描かれているカートン。
【発明の詳細な説明】
【技術分野】
【０００１】
本発明は、斜めにカットされたサンドイッチまたは同様の食品のためのカートンに関する。
【背景技術】
【０００２】
我々の欧州特許公報第５３２５３１号は、厚紙の半製品から形成されて、四角形の側壁に接続された三角形の端壁を有して三角形のプリズム形コンテナを形成する、食品のためのコンテナを開示している。コンテナの一つの側壁はコンテナの他の一つの壁にヒンジ留めされて、食品の挿入／取り出しのための開口部を提供し且つその開口部を閉じるための蓋を形成している。蓋の端及びヒンジから延在しているコンテナの端は、ヒンジ部に折り線付きの一体化タブを有しており、それによって、蓋が開口部の上に閉じられるときにタブは蓋の下に内側に折り畳まれて、コンテナ内に食品を保持する手助けをする。
【０００３】
カートンがサンドイッチのような腐敗しやすい食品のために使用される場合には、カートンの貯蔵寿命は２〜３時間に制限され、消費者によって購入されたサンドイッチが許容可能に新鮮であることを保証する。
【発明の開示】
【発明が解決しようとする課題】
【０００４】
サンドイッチ又は他の食品が腐敗しやすく且つより長い貯蔵寿命を有することが必要とされる場合、食物のための密封シールされたパッケージを提供する必要があり、それは通常は窒素のような不活性ガスで新鮮に（flushed）される。そのような食品のための密封シールされたパッケージは、通常はプラスチック材料から形成され、そのようなパッケージ内に収納された食品製品は、２〜３日または数週間もの貯蔵寿命を有することができる。プラスチックパッケージは、普通は生物分解性ではないＰＶＣから形成され、多くの小売業者は、それらの長期間にわたる環境問題及びその結果として引き起こされる製品の悪いイメージのために、そのような材料の使用を躊躇する。
【０００５】
本発明の目的は、サンドイッチ又は他の食品のために、我々の欧州特許公報第１０３２５３１号に開示されているサンドイッチパックと同じように簡単で且つ使いやすいパックを提供することであり、これは、密封シールされることができて延長された貯蔵寿命期間を超えてパッケージ内に収納された食品の劣化を最小化し、且つ完全に生物分解性の材料から形成されている。
【課題を解決するための手段】
【０００６】
本発明は、厚紙の半製品から形成され且つ四角形の側壁によって接続された三角形の端壁を有して三角形のプリズム形コンテナを形成する、斜めにカットされたサンドイッチ又は同様の食品のためのカートンであって、前記コンテナの一つの側壁は前記コンテナの他の一つの壁にヒンジ留めされて、食品の挿入／取り出しのための開口部を提供し且つ前記開口部を閉じるための蓋を形成しており、前記開口部の端は外向きのフランジを有しており、前記蓋の外周は、前記蓋が閉位置にあるときには前記開口部を囲む前記外向きのフランジの上に重なり、それによって、前記蓋は前記フランジに接合されて前記カートンの内容物をシールすることができる。
【０００７】
例えば、前記カートンが熱シール性の厚紙からできていてもよく、それによって、前記コンテナの前記蓋の前記外周が、前記コンテナに対する前記開口部を囲んでいる前記外向きフランジに熱シールによって接合されることができる。
【０００８】
あるいは、前記コンテナの前記蓋の前記外周が、前記コンテナへの前記開口部を囲んでいる前記外向きフランジに接着剤によって接合されてもよい。
【０００９】
上述の構成のいずれかにおいて、前記蓋が、前記コンテナへの前記開口部の前記外向きフランジを越えて延在している突出タブとともに形成され、前記蓋が、それが接合される前記外向きフランジから分離されて前記コンテナを開けることを可能にしてもよい。
【００１０】
また、上述の構成のいずれかにおいて、前記蓋が、それによって前記蓋の前記外周に接合されることができる外向きフランジを有する前記コンテナの前記三角形の端壁、隣接する側壁、及び反対側の端壁のうちのいずれか一つの底部にヒンジ留めされてもよい。
【００１１】
後者の場合、前記ヒンジから離れた前記蓋のコーナーが、前記蓋を開けるために掴まれる突出タブとともに形成されてもよい。
【００１２】
本発明によるさらなる構成において、前記蓋が前記コンテナの一つの側壁にヒンジ留めされ、前記隣接する三角形の端壁と反対側の側壁とが、そこに前記蓋の前記外周が接合されて前記コンテナの内容物をシールする外向けフランジを有していてもよい。
【００１３】
後者の場合、前記コンテナの前記反対側の側壁が延長フラップを有していてもよく、前記ヒンジに対向する前記蓋の前記端が対応するタブを有し、このタブが前記側壁の前記フラップに接合されて前記カートンをシールし且つ前記蓋を裂いて前記コンテナから開けるために使用されることができる。
【００１４】
より具体的には、前記蓋の前記端の前記タブが、前記コンテナの前記隣接する側壁の上の前記フラップに接合されていない切り裂きストリップとともに形成されていてもよく、前記切り裂きストリップが前記フラップの残り部分から容易に取り外されることができて、前記蓋を切り裂いて開けるために使用される。
【００１５】
上述の構成のいずれかにおいて、前記蓋が、前記蓋の長さの少なくとも一部だけ延在する窓を有していてもよく、これが前記窓を横切って延在するクリアなプラスチックフィルムを有し且つ前記蓋の下側にシールされて、前記コンテナの内容物を見ることを可能にする。
【００１６】
また、上述の構成のいずれかにおいて、前記カートンの前記三角形の端壁が、対向する底部の頂部から延在している折り目線とともに形成されていてもよく、前記コンテナを使用に先立って貯蔵のために折り畳むことを可能にする。
【００１７】
前記蓋が前記コンテナの一つの三角形の端壁にヒンジ留めされる場合に、その側壁を通って延在して前記側壁を平らに折り畳むことを可能にする折り目が、前記蓋を通っても延在していてもよく、前記蓋を前記側壁とともに平らに折り畳むことを可能にする。
【００１８】
本発明のさらなる特徴によれば、一つの端壁にヒンジ留めされる前記蓋の上のタブと前記コンテナの他の端壁の上のフランジの上のタブとが、一緒に熱シールされずに分離可能に維持され、ユーザが別々の手で掴んで引き離し且つ前記蓋を前記開口部を囲んでいるフランジから離すように裂いて、前記蓋とフランジとの間の熱シールを破って前記コンテナ内のサンドイッチ又は他の食物製品へのアクセスを可能にする。
【発明を実施するための最良の形態】
【００１９】
以下は、いくつかの特定の実施形態の記述であり、添付の図面が参照される。
【００２０】
最初に図１から図４の実施形態を参照すると、斜めにカットされたサンドイッチのかたまりを保持するための、一般に１０と示された三角形のプリズム形厚紙コンテナが示されている。このコンテナは、熱シールを容易にするために内側面に１５グラムのポリエチレンがコーティングされた４００ミクロンの折り畳みボール紙（ＦＢＢ）のような、熱シール可能な厚紙の一片の半製品から形成されている。あるいは、ボール紙は、熱シールを容易にするためにポリエステルコーティングを有していても良い。ポリプロピレン、アクリルなどのような耐油性コーティングを有する頑丈な漂白ＳＢＳのような、他のパッケージ紙もまた適している。コンテナは、２つの二等辺三角形状の端壁１２、１３を有し、これらは直角の頂部１４、長さの等しい側辺１５、及び底辺１６を有している。端壁１２、１３は、端壁の側辺１５に沿って延在している四角形の側壁１８、１９によって隔てられている。コンテナの側壁１８、１９は、コンテナの頂点２０で一緒になり、それらの他の端では端辺２１を有し、これらは端壁の底辺１６と一緒に、斜めにカットされたサンドイッチ又は同様の食品の挿入及び取り出しのためにコンテナの底部に四角形の開口部２４を規定している。
【００２１】
開口部２４は、一つの底辺１６に沿ってヒンジ留めされて開口部２４を覆う蓋２５によって閉じることが可能である。他の底辺１５は、中心の分け目２７を有する外向き一体化フランジ２６を有し、側壁１８、１９の隣接する端辺は外向きフランジ２８を有している。蓋の閉位置では、蓋の外周はフランジ２６及び２８を覆い、２１０℃及び圧力８０p.s.i.で１秒間の休止時間でダイを使用してフランジに熱シールされ、カートンに対する密封囲いを提供する。
【００２２】
サンドイッチコンテナは、パックを開けたままにしておくためのポケットとともに形成された治具を有する機械を使用して開けられ、充填されて、シールされる。サンドイッチがパック内に配置される。パックはそれからフランジ破断ステーションに向かわされて、そこで、コンテナに対する開口部の周囲のフランジが外に向けられて、蓋を受け取る準備が完了する。蓋がそれから閉じられ、加熱された圧縮プレートを介してダイを使用して熱が印加されて、蓋を閉じてシールする。パックはそれから射出される。
【００２３】
端壁に対するヒンジ線に対向して配置された蓋の一つのコーナー３０は、突出した三角形タブ３１とともに形成され、これはフランジには熱シールされず、カートンを開けることが望まれるときには持ち上げられて蓋をフランジから分離することができる。
【００２４】
カートンの蓋は大きな四角形の中央開口部３３を有しており、その上に、フィルムのストリップ３４が延ばされて蓋の内側に固着され、コンテナの内容物を見るための窓を提供する。
【００２５】
コンテナの端壁は、壁の頂部から壁の底辺まで延在している折り目線３５とともに形成される。蓋がヒンジ留めされる端壁の場合には、この折り目線は蓋を通って延長している。折り目線は、使用に先立ってカートンを平らに折り畳むことを可能にしている。直立されると、端壁／蓋の折り目線によって図２に示されるように端壁が外向きに曲げられて、オペレータがサンドイッチをカートンの中に入れることを可能にし、同じように消費者がサンドイッチをカートンから取り出すことを可能にする。
【００２６】
図面の図４は、カートンが形成される一枚の半製品を示している。
【００２７】
ここで図５〜図８を参照すると、同様なカートンが形成されているが、この場合には、蓋が一つの側壁にヒンジ留めされ、向かい合った端壁は拡大されたフラップ３６とともに形成されて、これによって蓋の自由端の対応するタブ３７がシールされる。カートンの端壁の底辺は外向きのフランジを有しており、蓋の外周はこの底辺に重なってタブに沿って熱シールされて、先のような密封シールされた囲いを提供する。蓋のタブ３７は、中央の突起３９まで延在しているミシン目の収束線３８を有し、タブの中央部は熱シールされず、その代わりにコンテナ本体の対応するフラップに取り付けられている。タブの中央部は、したがってタブの残り部分から容易に切断されて、コンテナの端壁の外向きフランジへの蓋のシーリングを破ることによってコンテナ本体から蓋を持ち上げるために使用されることができる。
【００２８】
最後に図９は、図１〜図４のものと同様にカートンを示しているが、カートンへの開口部を取り囲む外向きフランジから蓋を開放するためのタブが蓋の中心に形成され、カートンの底辺の向かい合ったフランジ上の対応するタブに重なって熱シールされている。この構成は、それ以外は前述されている。
【００２９】
本発明の範囲を逸脱することなく、半製品及びサンドイッチコンテナを直立させる手順に多くの改変を成し得ることが理解される。例えば、コンテナのために熱シール可能な厚紙を使う代わりに、普通の厚紙が使用されてもよく、蓋は適切な接着剤によって開口部のフランジに取り付けられる。
【００３０】
図面の図１０〜図１２に示されるカートンは、上記の図９に示されるカートン１０に同様であるが、蓋２５のタブ４０と、フランジ部２６のタブ４１及び４２と、が一緒に熱シールされていない。これより、タブを手で引き離すことによってカートンが開けられるとき、タブ４０はタブ４１及び４２から分離されることができる。蓋とカートンへの開口部を取り囲むフランジとの間の熱シールは、これにより破られて、カートンの蓋が開けられる。この構成は、それ以外は我々の出願第０２２８７９２．８号に記述されたものと同様である。
【００３１】
カートンの更なる改変された構造が、ここで図１３〜図１５を参照して記述される。図示される構成は、図９のものと一般的に同様である。この改変された構成では、タブ４０、４１及び４２は全て省略され、蓋２５が、その自由端に沿って中心が位置する半円の切り欠き４３を有し、またフランジ２６が同様の切り欠き４４を有している。カートンの蓋２５は、カートンへの開口部を取り囲む外向きフランジ２６及び２８に、前述のように熱シーリングによって熱シールされるが、この場合には「コンコラ（Concora）」として知られる部分的分離構成もまた使用されている。蓋がカット線のどちらかの側でフランジに熱シールされると、フランジ２６及び２８に設けられた特別に組み合わされたシーリング／カッティングダイが、切り欠き４５の線を部分的に切り裂く。フランジ２８の一つの切り欠きの線の一つは、図１４に見ることができる。加えて、狭いスロット２６ａがフランジ２６の中央に形成され、蓋のフランジからの分離を促進する。図１３に描かれるようにカートンを開けるために蓋が引っ張られるとき、フランジ２６及び２８は図１５に描かれるように切り欠き４５の線で分離して、蓋を開けることを可能にする。この構成は、それ以外は図９のものと同様である。
【００３２】
ここで図面の図１６を参照すると、これは上述の図１〜図３のパックの改変版を示している。図１３〜図１５の構成にて蓋をフランジに固着するための前述の「コンコラ」システムが、図１６の構成において、蓋をフランジ２６及び２８に固着してフランジからの蓋の分離を容易にするために使用される。その目的のために、フランジ２６及び２８は部分的切断の二重平行線とともに形成され、フランジの下側の対応する凹み線が２１及び２１ａに見ることができる。線２１はまた、フランジとコンテナの壁との間のヒンジ線を提供する。コンテナの蓋が裂かれて開けられると、フランジは、上記の図１３を参照して説明されたように線２１／２１ａに沿って裂かれる。
【００３３】
図１６に示されたパックのさらなる特徴は、側壁１３が２つの三角形の壁部１３ａ及び１３ｂから形成され、これらがヒンジ線３５にて一緒になっていることである。壁部１３ａは、第２の壁部１３ｂの背後のヒンジ線３５を越えて延在する一体化タブ（図示されていない）を有しており、このタブは、壁部１３ｂの背面に取り付けられて、壁部を一緒に固着する。タブは、第３の線３５に沿ってヒンジ線２１まで延在しているが、フランジ２６ａ及び２６ｂには延在していない。フランジ２６ｂの凹み２１及び２１ａの線の間の部分は、わずかな延長または突起５０とともに形成され、これはフランジ２６ａの隣接部分にオーバーラップして、パックが閉じられるときに蓋に密封シールを提供する手助けをする。凹み２１ａの線を越えて、フランジ２６ａ及び２６ｂは、５１で示されるわずかなギャップを有している。
【００３４】
図１７は、図１３〜図１５のパックに対する更なる改変を示しており、側壁１３が上記で図１６を参照して説明されたものと同様な方法で形成される。これより、壁１３は２つの部分１３、１３ａに形成され、部分１３のタブは部分１３ｂの背後に取り付けられる。フランジ２６ｂのヒンジ線２１と平行線２１ａとの間の部分は、５１でわずかに延長されてフランジ２６ａの隣接部分と再びオーバーラップし、蓋が閉じられるときにパックに対する密封シールを生成する手助けをする。フランジ２６ａ及び２６ｂの残り部分は、わずかに離れて配置され、以前のようにスリット５１を提供する。
【図面の簡単な説明】
【００３５】
【図１】本発明にしたがったサンドイッチコンテナの正面斜視図であり、コンテナの蓋が開位置にあり且つコンテナの端壁が平らになっている図である。
【図２】図１と同様の図で、蓋が開位置にあり且つコンテナの端壁が曲げられている図である。
【図３】蓋が閉じられたコンテナの背面斜視図である。
【図４】図１から３のコンテナが形成される半製品の平面図である。
【図５】蓋が開けられ且つコンテナの端壁が平らに示されている、改変されたコンテナの正面斜視図である。
【図６】図５と同様の図で、蓋が開位置にあり且つコンテナの端壁が曲げられている図である。
【図７】図５及び図６のコンテナの背面斜視図である。
【図８】図５から８のコンテナが形成されるコンテナの半製品の平面図である。
【図９】図１のコンテナと同様のさらに改変されたコンテナの斜視図である。
【図１０】斜めにカットされたサンドイッチスタックのためのカートンの斜視図であって、カートンの蓋が折り畳まれてカートンへの開口部を囲むフランジへの熱シールの準備ができている図である。
【図１１】図１０と同様の図であって、蓋がカートンを囲むフランジに熱シールされているが、蓋の上の開放タブとフランジとは一緒に固着されていない図である。
【図１２】カートンの下側から取られた図１０と同様の図である。
【図１３】さらに更なる実施形態を示す図である。
【図１４】さらに更なる実施形態を示す図である。
【図１５】さらに更なる実施形態を示す図である。
【図１６】図１から図３に示される構成の改良版である。
【図１７】図１３から図１５に示される構成の改良版である。
【図１】
2006509693.tif 000003
【図２】
2006509693.tif 000004
【図３】
2006509693.tif 000005
【図４】
2006509693.tif 000006
【図５】
2006509693.tif 000007
【図６】
2006509693.tif 000008
【図７】
2006509693.tif 000009
【図８】
2006509693.tif 000010
【図９】
2006509693.tif 000011
【図１０】
2006509693.tif 000012
【図１１】
2006509693.tif 000013
【図１２】
2006509693.tif 000014
【図１３】
2006509693.tif 000015
【図１４】
2006509693.tif 000016
【図１５】
2006509693.tif 000017
【図１６】
2006509693.tif 000018
【図１７】
2006509693.tif 000019
【国際調査報告】
2006509693.tif 000020
2006509693.tif 000021
2006509693.tif 000022
2006509693.tif 000023
2006509693.tif 000024